(57)【要約】【課題】複数備えられた異なる発光色を有する発光素子を、音声情報信号で、所要の発光素子のみを所要の輝度で発光させる。【解決手段】音源部４００から出力された音声情報信号により各々の発光素子に対応するＰＷＭ回路５１，５３，５５の点灯及び点滅を制御する。【選択図】図１
2005173131.tif 000002
【特許請求の範囲】
【請求項１】
複数備えられた異なる発光色を有する発光素子の各々の点灯情報と点灯デューティー比を決定する初期値及び終了値から成る輝度情報とを含む色情報信号が入力され、
前記発光素子毎に、
前記点灯情報を設定する第一の設定手段と、
前記初期値を設定する第二の設定手段と、
前記終了値を設定する第三の設定手段と、
前記設定された輝度情報に基づいて、該発光素子の輝度を制御する制御手段と、
前記終了値が初期値と同じ場合に、該発光素子の輝度を所定の大きな輝度にする手段と、
を備える音声受信装置の発光素子制御回路において、
外部入力された音声情報信号に基づいて、前記発光素子の点灯及び点滅を制御する手段と、
前記終了値が初期値と同じで、かつ、所定の値の場合に、該発光素子の輝度を零又は小さくする手段と、
を備えることを特徴とする音声受信装置の発光素子制御回路。
【請求項２】
請求項１記載の音声受信装置の発光素子制御回路であって、
単一の前記第一の設定手段によって、前記発光素子全ての点灯情報を設定することを特徴とする音声受信装置の発光素子制御回路。
【発明の詳細な説明】
【技術分野】
【０００１】
本発明は、複数備えられた異なる発光色を有する発光素子に対し、所要の発光素子を、外部入力された音声情報信号で、点灯及び点滅制御する音声受信装置の発光素子制御回路に関する。
【背景技術】
【０００２】
赤（Ｒ）、緑（Ｇ）、青（Ｂ）といったいわゆる３原色の発光素子を組み合わせ、各々の発光素子を点灯させ、それぞれの輝度を調節することにより、様々な発光色を作り出すことができる。このような３原色発光素子は、携帯電話やＰＨＳでは３色ＬＥＤを用いて表示素子としても用いられ、着信時において、通話もしくは電子メールといったその機能に応じた発光色を点灯させることにより、使用者に対してその着信を知らせている。
【０００３】
これらＬＥＤは、順方向にバイアス電圧を印加することにより、その電位差に応じた電流が流れ発光するものである。さらにＬＥＤにパルス電圧を印加して、そのパルス電圧のデューティー比を調整することによりＬＥＤの輝度の階調を制御するＰＷＭ（Ｐｕｌｓｅ  Ｗｉｄｔｈ  Ｍｏｄｕｌａｔｉｏｎ）方式がある。
【０００４】
このＰＷＭ方式を利用した、３色ＬＥＤの各々の点灯と輝度とを制御する音声受信装置の発光素子制御回路の従来例を図２に示す。図２において音声受信装置の発光素子制御回路１１０は、入力端がマイコン２００と音源部４１０とに接続され、出力端が赤色の発光素子ＲＬＥＤ３１０と、緑色の発光素子ＧＬＥＤ３２０と、青色の発光素子ＢＬＥＤ３３０とに接続されている。
【０００５】
図２に示す音声受信装置の発光素子制御回路１１０は、着信時において、マイコン２００に着信信号が入力されることにより、マイコン２００はここでは図示していない記憶部に記憶された色情報信号を読み込み、読み込んだ色情報信号に基づきシリアルデータ信号ＳＤＡＴＡを生成し、その同期信号ＳＣＬＫと、イネーブル信号ＥＮＡとを出力し音声受信装置の発光素子制御回路１１０に入力する。
【０００６】
音声受信装置の発光素子制御回路１１０に入力されたシリアルデータ信号ＳＤＡＴＡは、対応するＬＥＤ毎に分配され、各々のレジスタに設定登録される。そして設定登録された情報に基づいて、対応するＬＥＤを点灯させる。以下に音声受信装置の発光素子制御回路１１０の動作について詳細に説明する。
【０００７】
音声受信装置の発光素子制御回路１１０に入力されたシリアルデータ信号ＳＤＡＴＡはシリアルＩ／Ｆ１０に入力され、対応するＬＥＤ毎に分配され、各々のレジスタに設定登録される。シリアルＩ／Ｆ１０では、図３に示すように、まずイネーブル信号ＥＮＡが“ハイレベル”のときに、同期信号ＳＣＬＫに従ってシリアルデータ信号ＳＤＡＴＡを読み込む。そしてシリアルＩ／Ｆ１０は、入力されたシリアルデータ信号ＳＤＡＴＡの先頭のＡ７からＡ０までのアドレス情報を読み込み、シリアルデータ信号ＳＤＡＴＡに含まれる各々のＬＥＤの輝度情報及び点灯情報（Ｄ１５からＤ０）までを各レジスタに設定登録する。
【０００８】
ここで、図４に示すようにシリアルＩ／Ｆ１０に入力される各々のＬＥＤの色情報を示すシリアルデータ信号ＳＤＡＴＡは、４種類ある。すなわち、各々のＬＥＤの点灯（ＯＮ／ＯＦＦ）を示すＬＥＤ点灯情報と、ＲＬＥＤ３１０の輝度を示すＲＬＥＤ輝度情報と、ＧＬＥＤ３２０の輝度を示すＧＬＥＤ輝度情報と、ＢＬＥＤ３３０の輝度を示すＢＬＥＤ輝度情報の４種類である。
【０００９】
まず、ＬＥＤ点灯情報は、ＲＬＥＤ３１０、ＧＬＥＤ３２０、ＢＬＥＤ３３０の各々の点灯情報を示し、Ｄ１０にＲＬＥＤ３１０、Ｄ９にＧＬＥＤ３２０、Ｄ８にＢＬＥＤ３３０の各々の点灯情報（ＯＮ／ＯＦＦ）がある。そしてＤ６からＤ０まではブランクであり情報が書き込まれていない。
【００１０】
また、ＲＬＥＤ３１０の輝度情報は、Ａ７からＡ０までがレジスタのアドレスであり、シリアルＩ／Ｆ１０で読み込まれることにより、Ｄ１５からＤ８までがレジスタ２に、Ｄ７からＤ０までがレジスタ３に設定登録される。さらに、Ｄ１４からＤ８までに後述する発光素子の点灯デューティー比を決定する初期値情報が含まれ、Ｄ７からＤ０までに発光素子の点灯デューティー比を決定する終了値情報が含まれている。
【００１１】
そして、ＧＬＥＤ３２０の輝度情報もＲＬＥＤ３１０の輝度情報と同様に、Ａ７からＡ０までがアドレスであり、シリアルＩ／Ｆで読み込まれることにより、Ｄ１５からＤ８までがレジスタ４に、Ｄ７からＤ０までがレジスタ５に設定登録される。さらに、Ｄ１４からＤ８までに発光素子の点灯デューティー比を決定する初期値情報があり、Ｄ６からＤ０までに終了値情報がある。
【００１２】
さらに、ＢＬＥＤ３３０の輝度情報についても、Ａ７からＡ０までがアドレスであり、シリアルＩ／Ｆで読み込まれることにより、Ｄ１５からＤ８までがレジスタ６に、Ｄ７からＤ０までがレジスタ７に設定登録される。さらに、Ｄ１４からＤ８までに発光素子の点灯デューティー比を決定する初期値情報があり、Ｄ６からＤ０までに終了値情報がある。
【００１３】
ここで、シリアルＩ／Ｆ１０で読み込まれたシリアルデータ信号ＳＤＡＴＡのアドレス情報が、ＬＥＤ点灯情報であった場合は、レジスタ１に各ＬＥＤの点灯情報が設定される。さらに、シリアルデータ信号がＲＬＥＤ輝度情報であった場合は、ＲＬＥＤ３１０の点灯デューティー比を決定するためにレジスタ２に初期値が設定され、レジスタ３にはその終了値が設定される。同様に、シリアルデータ信号がＧＬＥＤ輝度情報であった場合は、ＧＬＥＤ３２０の点灯デューティー比を決定するためにレジスタ４に初期値が設定され、レジスタ５にはその終了値が設定される。さらに、シリアルデータ信号がＢＬＥＤ輝度情報であった場合は、ＢＬＥＤ３３０の点灯デューティー比を決定するためにレジスタ６に初期値が設定され、レジスタ７にはその終了値が設定される。ここで、各レジスタの初期設定値はＡＬＬ０である。
【００１４】
さらに、各々のＰＷＭ駆動回路は前述したレジスタを参照し、レジスタに設定登録された輝度情報に基づいてパルス電圧を出力し、対応するＬＥＤの輝度と点灯を制御している。以下に、ＲＬＥＤ３１０を点灯させる手段について詳細に説明する。
【００１５】
ＰＷＭ駆動回路５１は、図５に示すように、カウンタ３０で生成したＰＷＭ用ＣＬＫ信号をレジスタ２及びレジスタ３に設定登録された値に基づいて、所要のデューティー比のパルス電圧を生成している。ここでパルス電圧のデューティー比により、ＲＬＥＤ３１０に印加される電圧の印加時間が定まり、この印加時間が長いほどＲＬＥＤ３１０の輝度が増大する。図５に示したＲｏｎは“００００００００”であり、Ｒｏｆｆは“０００００１０１”である。従って、ＲＬＥＤ３１０に１２８分の５のデューティー比のパルス電圧が印加されることにより、ＲＬＥＤ３１０は１２８分の５階調の輝度で発光することになる。
【００１６】
同様に、ＰＷＭ駆動回路５３及び５５も各々のレジスタ設定情報に従ってパルス電圧を駆動及び出力し、アンプ８３及び８５によってそれぞれ増幅し、ＧＬＥＤ３２０及びＢＬＥＤ３３０の片端に印加して、バイアス電圧Ｖｄｄとの電位差がＧＬＥＤ３２０及びＢＬＥＤ３３０に印加され、各々のＬＥＤが発光する。
【００１７】
また、Ｒｏｎ＝Ｒｏｆｆの場合において、デューティー比が１００％か０％のいずれを示すのかがＰＷＭ駆動回路では不定である。このためＲｏｎ＝Ｒｏｆｆとなった場合は、一義的に輝度を最大となるようパルス電圧のデューティー比を制御する一致検出回路６１、６３、６５を設けている。
【００１８】
さらに、音声受信装置の発光素子制御回路１１０は着信時において、音源部４１０にマイコン２００から出力されたトリガ信号が入力され、音源部４１０は着信音記憶部６００から着信データを取り込む。そして、音源部４１０は取り込んだ着信音データに従って着信メロディを生成し、スピーカ５００から着信メロディを出力し、その着信メロディの音声情報信号を出力する。
【発明の開示】
【発明が解決しようとする課題】
【００１９】
近年、携帯電話やＰＨＳのＬＥＤを着信音のリズムで点滅させるといったいわゆる娯楽性を高めるという要望がある。さらに、従来の音声受信装置の発光素子制御回路で各々のＬＥＤの点灯を制御するためには、各々の発光素子の点灯情報（ＯＮ／ＯＦＦ）で制御するより方法がない。しかし、音源部から出力される音声情報信号（着信メロディの音の強度を２値化した信号）をシリアルデータ信号ＳＤＡＴＡ、すなわちＬＥＤ点灯情報に変換し各々のＬＥＤの点滅を制御するのは、マイコン処理の負担を大きくする上に、マイコンから音声情報信号に基づいた点灯情報を含むシリアルデータ信号ＳＤＡＴＡを、音声受信装置の発光素子制御回路に転送するまでのタイムラグも発生する。付け加えて、音声情報信号をマイコンでシリアルデータ信号ＳＤＡＴＡに変換するためのソフト開発の負担もある。
【００２０】
本発明は以上の状況に鑑みてなされたものであり、その目的は、音声情報信号で、所要の発光素子のみを所要の輝度で発光させることにある。
【課題を解決するための手段】
【００２１】
上記課題を解決するために、本発明の構成は、複数備えられた異なる発光色を有する発光素子の各々の点灯情報と点灯デューティー比を決定する初期値及び終了値から成る輝度情報とを含む色情報信号が入力され、前記発光素子毎に、前記点灯情報を設定する第一の設定手段と、前記初期値を設定する第二の設定手段と、前記終了値を設定する第三の設定手段と、前記設定された輝度情報に基づいて、該発光素子の輝度を制御する制御手段と、前記終了値が初期値と同じ場合に、該発光素子の輝度を所定の大きな輝度にする手段と、を備える音声受信装置の発光素子制御回路において、外部入力された音声情報信号に基づいて、前記発光素子の点灯及び点滅を制御する手段と、前記終了値が初期値と同じで、かつ、所定の値の場合に、該発光素子の輝度を零又は小さくする手段と、を備えることを特徴とする。
【００２２】
さらに、本発明の構成は、単一の前記第一の設定手段によって、前記発光素子全ての点灯情報を設定することが望ましい。
【発明の効果】
【００２３】
本発明によれば、複数の異なる発光色を持つ発光素子を、外部から入力された音声情報信号で所要の発光色のみで点滅させることができる。
【発明を実施するための最良の形態】
【００２４】
以下、本発明を実施するための最良の形態について図１を用いて説明する。ここで、図１に記載の音声受信装置の発光素子制御回路は、携帯電話又はＰＨＳに搭載され、その着信時において、着信メロディとその着信メロディのリズムで発光するＬＥＤとで、使用者にその着信を知らせるものとする。なお、従来例と同様の又は対応する部材には同一の符号を付すものである。
【００２５】
まず本発明の構成から説明する。図１において音声受信装置の発光素子制御回路１００、マイコン２００、音源部４００、着信音記憶部６００は携帯電話又はＰＨＳの内部に搭載されており、ＲＬＥＤ３１０、ＧＬＥＤ３２０、ＢＬＥＤ３３０及びスピーカ５００は一部を携帯電話又はＰＨＳの内部に搭載され、各々の発光部及び着信音出力部は、その携帯電話又はＰＨＳの使用者に情報提供できるよう、その一部が携帯電話又はＰＨＳの外部に出ているものとする。
【００２６】
そして、音声受信装置の発光素子制御回路１００は、入力端をマイコン２００と音源部４００とに接続され、出力端を赤色の発光素子ＲＬＥＤ３１０と、緑色の発光素子ＧＬＥＤ３２０と、青色の発光素子ＢＬＥＤ３３０とに接続されており、さらに、本発明に係る音声受信装置の発光素子制御回路１００の構成では、従来例に対して新たに以下に説明するＯＲ回路４１、４３、４５と、０（ゼロ）検出回路７１、７３、７５を赤（Ｒ）、緑（Ｇ）、青（Ｂ）の各色毎に追加している。まず、ＯＲ回路４１、４３、４５について詳細に説明し、つぎに０（ゼロ）検出回路７１，７３，７５について詳細に説明する。
【００２７】
ＯＲ回路４１はレジスタ１から出力されたＲＬＥＤ３１０の点灯情報信号と、音源部４００から出力される音声情報信号（着信メロディの音の強度を２値化した信号）との論理和出力を、ＰＷＭ駆動回路５１へ入力するように設けている。また、ＯＲ回路４３はレジスタ１から出力されるＲＬＥＤ３３０の点灯情報信号と、音源部４００から出力された音声情報信号との論理和出力を、ＰＷＭ駆動回路５３へ入力するように設けている。さらに、ＯＲ回路４５はレジスタ１から出力されるＲＬＥＤ３５０の点灯情報信号と、音源部４００から出力された音声情報信号との論理和出力を、ＰＷＭ駆動回路５５へ入力するように設けている。
【００２８】
つぎに、０（ゼロ）検出回路７１、７３、７５について説明する。まず、０検出回路７１について説明する。この０検出回路７１は、一致検出回路５１において、レジスタ２とレジスタ３との設定登録が同じ（Ｒｏｎ＝Ｒｏｆｆ）であり、かつレジスタ３の設定情報が“００００００００”である場合、すなわち、Ｒｏｎ＝Ｒｏｆｆ＝“００００００００”である場合に、仮に音源部４００から音声情報信号がＰＷＭ駆動回路５１に入力されたとしても、一致検出回路６１の検出結果にかかわらず、ＰＷＭ駆動回路５１のパルス電圧の出力を一義的にＯＦＦさせるものである。これは以下の理由により設けている。
【００２９】
本発明の音声受信装置の発光素子制御回路１００に、音源部４００から入力される音声情報信号は１つしかない。このため、所要のＬＥＤを音源部４００から入力された音声情報信号で点滅させるといった場合において、１つの音声情報信号で３つのＬＥＤの点滅を制御する必要がある。
【００３０】
仮に、ＧＬＥＤ３２０、ＢＬＥＤ３３０のみを音源部４００から入力された音声情報信号で点滅させるとすると、緑色のレジスタ４及び５にＧＬＥＤ３２０の点灯デューティー比を決定する初期値及び終了値を設定登録し、青色のレジスタ６及び７にＢＬＥＤ３３０の点灯デューティー比を決定する初期値及び終了値を設定登録する。そして、レジスタ１の点灯情報を初期値（点灯ＯＦＦ）に設定することにより、音源部４００から入力された音声情報信号でＰＷＭ駆動回路５３、５５から出力されるパルス電圧を制御することが可能となる。ここで、ＰＷＭ駆動回路５３、５５が各々のレジスタを参照することにより、各々のレジスタに設定登録された輝度情報に基づいた輝度でＧＬＥＤ３２０、ＢＬＥＤ３３０を、音源部４００から入力された音声情報信号で点滅させることができる。
【００３１】
ここで、赤色のレジスタ２及び３の設定は、初期値（ＡＬＬ０）のままである。さらに、前述したように、音源部４００から出力される音声情報信号は１つしかなく、本発明の音声受信装置の発光素子制御回路１００は、１つの音声情報信号で３つのＬＥＤの点滅を制御している。このため、音源部４００からの音声情報信号が、ＯＲ回路４１を介してＰＷＭ駆動回路５１に入力されており、音声情報信号がＯＮのときには、一致検出回路６１においてＲｏｎ＝Ｒｏｆｆが検出されるため、ＰＷＭ駆動回路５１は最大の輝度でＲＬＥＤ３１０を点灯及び点滅させてしまうことが想定される。このため、本来点滅させたいＧＬＥＤ３２０、ＢＬＥＤ３３０に比べてＲＬＥＤ３１０が強く発光してしまい、所要の色すなわち各々のレジスタに設定登録した色を、音源部４００から入力された音声情報信号で点滅させることができなくなる。
【００３２】
そこで、Ｒｏｎ＝Ｒｏｆｆ＝“００００００００”である場合は、ＰＷＭ駆動回路５１からのパルス電圧出力を制御して、ＲＬＥＤ３１０の点灯及び点滅をＯＦＦとなるよう０検出回路７１を設けている。さらに、同様な理由で、０検出回路７３、７５も各々のＬＥＤ毎に設けている。
【００３３】
以上の構成により、レジスタ１を初期値（すなわち全ＬＥＤの点灯ＯＦＦ）にセットしておくことにより、ＲＬＥＤ３１０の点灯をＯＦＦに設定し、ＧＬＥＤ３２０とＢＬＥＤ３３０とを着信メロディのリズムによって点滅させるといった場合においても、外部入力された音声情報信号で、所要のＬＥＤのみの点滅を制御することが可能となる。なお、着信メロディのリズムで各々のＬＥＤの点滅を制御する場合において、レジスタ１は初期値（ＡＬＬ０）が設定されていれば良いため、マイコン２００から点灯情報が含まれるシリアルデータ信号ＳＤＡＴＡを出力しなくとも良い。
【００３４】
つぎに、本発明の音声受信装置の発光素子制御回路１００の動作について説明する。より詳細に説明すると、携帯電話又はＰＨＳの着信時において、着信メロディと、各々のＬＥＤの点滅により、使用者にその着信を知らせる動作について説明する。本発明の音声受信装置の発光素子制御回路１００は、以下に説明するように着信メロディのリズムに合わせて各々のＬＥＤを点滅させることと、従来例に示したような着信メロディのリズムに合わせることなく各々のＬＥＤを点灯させることとの両方の動作が可能である。まず、着信メロディのリズムに合わせて、各々のＬＥＤを点滅させる場合について説明する。次に着信メロディのリズムに合わせることなく、各々のＬＥＤを点灯させる場合について説明する。
【００３５】
まず、着信時において、着信メロディのリズムに合わせて、各々のＬＥＤを点滅させる場合について説明する。図１に示す音声受信装置の発光素子制御回路１００は、着信時においてマイコン２００に着信信号が入力されることにより、マイコン２００はここでは図示していない記憶部に記憶された色情報信号を読み込み、読み込んだ色情報信号に基づきシリアルデータ信号ＳＤＡＴＡを生成する。さらにマイコン２００は、シリアルデータ信号ＳＤＡＴＡの同期信号ＳＣＬＫと、イネーブル信号ＥＮＡとを出力し音声受信装置の発光素子制御回路１００に入力する。
【００３６】
さらに、音声受信装置の発光素子制御回路１００に入力されたシリアルデータ信号ＳＤＡＴＡは、対応するＬＥＤ毎に分配され、各々のレジスタに設定登録される。より詳しく説明すると、音声受信装置の発光素子制御回路１００に入力されたシリアルデータ信号ＳＤＡＴＡは、シリアルＩ／Ｆ１０によりアドレス情報が読み込まれ、読み込まれたアドレスに従って、各々のレジスタに設定登録される。ここで、シリアルデータ信号ＳＤＡＴＡがＲＬＥＤ３１０の点灯デューティー比を決定する初期値Ｒｏｎ及び終了値Ｒｏｆｆから成る輝度情報であれば、Ｒｏｎをレジスタ２に、Ｒｏｆｆをレジスタ３に設定登録する。同様に、シリアルデータ信号ＳＤＡＴＡがＧＬＥＤ３２０の点灯デューティー比を決定する初期値Ｇｏｎ及び終了値Ｇｏｆｆから成る輝度情報であれば、Ｇｏｎをレジスタ４に、Ｇｏｆｆをレジスタ５に設定登録する。さらに、シリアルデータ信号ＳＤＡＴＡがＢＬＥＤ３３０の点灯デューティー比を決定する初期値Ｂｏｎ及び終了値Ｂｏｆｆから成る輝度情報であれば、Ｂｏｎをレジスタ６に、Ｂｏｆｆをレジスタ７に設定登録する。このとき、レジスタ１は、初期値（すなわち全ＬＥＤの点灯ＯＦＦ）に設定されており、ＬＥＤの点灯は、音源部４００から音声情報信号によってのみ制御されている。
【００３７】
音声受信装置の発光素子制御回路１００は、着信時において、音源部４００にマイコン２００から出力されたトリガ信号が入力され、音源部４００は着信音記憶部６００から着信データを取り込む。そして、音源部４００は取り込んだ着信音データに従って着信メロディを生成し、スピーカ５００から着信メロディを出力し、その着信メロディの音声情報信号を出力する。
【００３８】
そして、音源部４００から出力された音声情報信号が、各々のＬＥＤに対応するＯＲ回路４１、４３、４５を介してＰＷＭ駆動回路５１、５３、５５に入力されることにより、各々のＬＥＤの各レジスタ２から６に設定登録された輝度で、各々のＬＥＤを、着信メロディのリズムで点滅させることができる。
【００３９】
より詳細に説明するために、ＲＬＥＤ３１０を点滅させる場合について説明する。音源部４００から出力された音声情報信号は、ＯＲ回路４１を介してＰＷＭ駆動回路５１に入力される。このとき、レジスタ１は、前述した通り初期値（すなわち全ＬＥＤの点灯ＯＦＦ）であるため、ＰＷＭ駆動回路５１によるＲＬＥＤ３１０の点灯及び点滅は、音源部４００から出力された音声情報信号で制御されている。さらに、ＰＷＭ駆動回路５１は、レジスタ２に設定登録されたＲｏｎ、及びレジスタ３に設定登録されたＲｏｆｆを参照することにより、参照したＲｏｎ及びＲｏｆｆに基づいた点灯デューティー比のパルス電圧を、音源部４００から出力された音声情報信号のリズムで出力する。そして、ＰＷＭ駆動回路５１から出力されたパルス電圧が、アンプ８１を介してＲＬＥＤ３１０に印加して、バイアス電圧Ｖｄｄとの電位差がＲＬＥＤ３１０に印加されることにより、音声受信装置の発光素子制御回路１００は、ＲＬＥＤ３１０を音源部４００から出力された音声情報信号、すなわち着信メロディのリズムで点滅させることが可能となる。
【００４０】
もちろん、前述したＲＬＥＤ３１０を、音源部４００から出力された音声情報信号、すなわち着信メロディのリズムで点滅させないように制御することも可能である。ＲＬＥＤ３１０を点灯ＯＦＦに制御する場合は、レジスタ２及びレジスタ３を初期値（ＡＬＬ０）にしておくことにより、音源４００から出力された音声情報信号がＰＷＭ駆動回路５１に入力されたとしても、０検出回路７１により、レジスタ２及びレジスタ３に設定登録された設定情報が検出され、すなわちＲｏｎ＝Ｒｏｆｆ＝“００００００００”が検出され、０検出回路７１が、ＰＷＭ駆動回路５１からのパルス電圧の出力をＯＦＦにする。従って、他のＬＥＤ（ＧＬＥＤ３２０、ＢＬＥＤ３３０）のみを音源部４００から出力された音声情報信号で点滅させ、ＲＬＥＤ３１０が点滅することはない。また、ＧＬＥＤ３２０を点滅又は点灯ＯＦＦにさせる場合におけるＯＲ回路４３、ＰＷＭ駆動回路５３、０検出回路７３、アンプ８３、ＧＬＥＤ３２０の動作についても、ＲＬＥＤ３１０のものと同様である。さらに、ＢＬＥＤ３３０を点滅させる場合におけるＯＲ回路４５、ＰＷＭ駆動回路５５、０検出回路７５、アンプ８５、ＧＬＥＤ３２０の動作についても、ＲＬＥＤ３１０のものと同様である。
【００４１】
従って、本発明の音声受信装置の発光素子制御回路が搭載された携帯電話又はＰＨＳは、着信時に、着信メロディとその着信メロディのリズムで発光するＬＥＤとにより、従来の音声受信装置の発光素子制御回路が搭載された携帯電話又はＰＨＳに比べて、より娯楽性の高い着信を、その使用者に提供することが可能となる。
【００４２】
つぎに、着信メロディのリズムに合わせることなく、各々のＬＥＤを点灯させる場合について説明する。図１に示す音声受信装置の発光素子制御回路１００は、着信時においてマイコン２００に着信信号が入力されることにより、マイコン２００はここでは図示していない記憶部に記憶された色情報信号を読み込み、読み込んだ色情報信号に基づきシリアルデータ信号ＳＤＡＴＡを生成する。さらにマイコン２００は、シリアルデータ信号ＳＤＡＴＡと、その同期信号ＳＣＬＫと、イネーブル信号ＥＮＡとを出力し音声受信装置の発光素子制御回路１００に入力する。
【００４３】
さらに、音声受信装置の発光素子制御回路１００に入力されたシリアルデータ信号ＳＤＡＴＡは、対応するＬＥＤ毎に分配され、各々のレジスタに設定登録される。ここで、レジスタ２から７までのシリアルデータ信号に含まれる輝度情報の設定登録については、前述した、着信メロディのリズムに合わせて、各々のＬＥＤを点滅させる場合と同様である。そして、レジスタ１にはシリアルデータ信号ＳＤＡＴＡにより、各々のＬＥＤの点灯情報が設定登録される。これは音源部４００から音声情報信号が出力されず、音声情報信号が各々のＰＷＭ駆動回路に入力されない場合は、各々のＬＥＤの点灯情報がレジスタ１に設定登録されるようシリアルデータ信号ＳＤＡＴＡをマイコン２００で設定しておけば良い。
【００４４】
さらに、音声受信装置の発光素子制御回路１００は着信時において、音源部４００にマイコン２００から出力されたトリガ信号が入力され、音源部４００は着信音記憶部６００から着信データを取り込む。そして、音源部４００が取り込んだ着信音データに従って着信メロディを生成し、スピーカ５００から着信メロディを出力し、その着信メロディの音声情報信号を出力しない。これは、着信メロディの音声情報信号が出力されないよう音源部４００を設定しておけば良い。
【００４５】
そして、音源部４００から音声情報信号が出力されておらず、かつ、レジスタ１に各々のＬＥＤに対応する点灯情報が設定されているため、各々のＬＥＤに対応するＯＲ回路４１、４３、４５はレジスタ１に設定登録された各々のＬＥＤに対応する点灯情報を、ＰＷＭ駆動回路５１、５３、５５に入力することにより、各々のＬＥＤの点灯を制御することができる。さらに音声情報信号が入力されていないため、各々のＬＥＤが着信メロディのリズムで点滅することもない。
【００４６】
さらに、各々のＰＷＭ駆動回路から出力されたパルス電圧をアンプ８１、８３、８５によってそれぞれ増幅し、各々のＬＥＤに印加して、バイアス電圧Ｖｄｄとの電位差が各々のＬＥＤに印加されることにより、所要のＬＥＤを点灯させる。そして各々のＰＷＭ駆動回路は、各々のＬＥＤの輝度情報が設定登録されたレジスタを参照することにより、対応するＬＥＤの輝度を制御し、点灯ＯＦＦに設定されたＬＥＤについては、０検出回路７１、７３、７５を用いることなく、レジスタ１に設定登録された点灯情報により点灯をＯＦＦにすることが可能となる。以上の構成により、本発明に係る音声受信装置の発光素子制御回路は、音声情報信号が入力されていない場合においては、レジスタ１に設定登録された点灯情報により、所要のＬＥＤを点灯させることができる。
【００４７】
以上説明したように、本発明の音声受信装置の発光素子制御回路が搭載された携帯電話又はＰＨＳは、着信時に、着信メロディと設定された輝度で点灯するＬＥＤとにより、その使用者に着信を知らせることが可能となる。
【００４８】
さらに、本発明に係る音声受信装置の発光素子制御回路は、着信メロディのリズムでＬＥＤを点滅させることも、着信メロディとＬＥＤを別々に動作させることも可能である。
【図面の簡単な説明】
【００４９】
【図１】本発明の実施形態に係る音声受信装置の発光素子制御回路のブロック図である。
【図２】従来の音声受信装置の発光素子制御回路のブロック図である。
【図３】ＳＤＡＴＡのフォーマットを示す図である。
【図４】ＬＥＤ点灯情報及び各々のＬＥＤの輝度情報を示す図である。
【図５】ＰＷＭ回路から出力されるパルス電圧を示す図である。
【符号の説明】
【００５０】
１００，１１０  音声受信装置の発光素子制御回路、２００  マイコン、３１０  ＲＬＥＤ、３２０  ＧＬＥＤ、３３０  ＢＬＥＤ、４００，４１０  音源部、５００  スピーカ、６００  着信音記憶部。
【図１】
2005173131.tif 000003
【図２】
2005173131.tif 000004
【図３】
2005173131.tif 000005
【図４】
2005173131.tif 000006
【図５】
2005173131.tif 000007